【手続補正書】
【提出日】平成17年12月28日(2005.12.28)
【手続補正１】
【補正対象書類名】明細書
【補正対象項目名】特許請求の範囲
【補正方法】変更
【補正の内容】
【特許請求の範囲】
【請求項１】  イメージサイズの異なる少なくとも２種類のカメラボディに装着可能な交換レンズであって、
上記カメラボディの種類によって異なる露出補正データを別個に記憶する記憶手段と、
上記記憶手段に記憶された上記露出補正データを当該交換レンズが装着された上記カメラボディに送信するための送信手段と、
を備えたことを特徴とする交換レンズ。
【請求項２】  イメージサイズの異なる少なくとも２種類のカメラボディに装着可能な交換レンズであって、
上記カメラボディの種類によって異なる露出補正データを別個に記憶する記憶手段と、
当該交換レンズが装着された上記カメラボディから、このカメラボディの種類に関連したデータを受信するための受信手段と、
上記受信したデータに応じて、上記記憶手段に記憶された上記露出補正データの中から、当該交換レンズが装着されたカメラボディの種類に対応した露出補正データを選択するための選択手段と、
上記選択された露出補正データを当該交換レンズが装着された上記カメラボディに送信するための送信手段と、
を備えたことを特徴とする交換レンズ。
【請求項３】  イメージサイズの異なる少なくとも２種類のカメラボディに装着可能な交換レンズであって、
上記カメラボディの種類によって異なる露出補正データを別個に記憶する記憶手段と、
当該交換レンズが装着された上記カメラボディから、このカメラボディの種類に関連したデータと露出制御パラメータを受信するための受信手段と、
上記受信手段により受信された上記カメラボディの種類に関連したデータと上記露出制御パラメータとに応じて、上記記憶手段に記憶された上記露出補正データの中から、当該交換レンズが装着されたカメラボディの種類と上記露出制御パラメータとに対応した露出補正データを選択するための選択手段と、
上記選択された露出補正データを当該交換レンズが装着された上記カメラボディに送信するための送信手段と、
を備えたことを特徴とする交換レンズ。
【請求項４】  上記露出制御パラメータは、絞りの設定値であることを特徴とする請求項３に記載の交換レンズ。
【請求項５】  イメージサイズの異なる少なくとも２種類のカメラボディに装着可能な交換レンズであって、
上記カメラボディの種類によって異なる露出補正データを別個に記憶する記憶手段と、
当該交換レンズが装着された上記カメラボディから、このカメラボディの種類に関連したデータを受信するための受信手段と、
露出に関する状態を変更するためのマニュアル操作部材と、
上記受信手段により受信された上記カメラボディの種類に関連したデータと、上記マニュアル操作部材から出力されるマニュアル操作情報とから上記記憶手段に記憶された上記露出補正データの中から、当該交換レンズが装着されたカメラボディの種類と上記マニュアル操作情報とに対応した露出補正データを選択するための選択手段と、
上記選択された露出補正データを当該交換レンズが装着された上記カメラボディに送信するための送信手段と、
を備えたことを特徴とする交換レンズ。
【請求項６】  上記マニュアル操作部材は、当該交換レンズの焦点距離を可変する操作部材であり、上記マニュアル操作情報は、焦点距離に関する情報であることを特徴とする請求項５に記載の交換レンズ。
【請求項７】  上記露出補正データは、上記カメラボディで測定した測光出力の補正を行うための測光補正データであることを特徴とする請求項１乃至３及び５のうち何れか一つに記載の交換レンズ。
【請求項８】  上記露出補正データは、上記カメラボディで露出演算で求めた露出アペックス値に対して補正を行うための露出量補正データであることを特徴とする請求項１乃至３及び５のうち何れか一つに記載の交換レンズ。
【手続補正２】
【補正対象書類名】明細書
【補正対象項目名】０００１
【補正方法】変更
【補正の内容】
【０００１】
【発明の属する技術分野】
イメージサイズの異なる少なくとも２種類のカメラボディと、これらボディに共用できる交換レンズとを有するカメラシステムにおいて使用される交換レンズに関する。
【手続補正３】
【補正対象書類名】明細書
【補正対象項目名】００１７
【補正方法】変更
【補正の内容】
【００１７】
そこで本発明の目的は、同一な交換レンズを上記のようなイメージサイズの異なるカメラボディの何れに装着した場合でも、適正な撮影制御を行なうと共に、カメラシステムの充実を容易にするような交換レンズを提供することにある。
【手続補正４】
【補正対象書類名】明細書
【補正対象項目名】００１８
【補正方法】変更
【補正の内容】
【００１８】
【課題を解決するための手段】
本発明は上述した状況に鑑みて為されたものであり、上記目的を達成するため次のような手段を講じている。例えば、
第１の発明によれば、イメージサイズの異なる少なくとも２種類のカメラボディに装着可能な交換レンズであって、上記カメラボディの種類によって異なる露出補正データを別個に記憶する記憶手段と、上記記憶手段に記憶された上記露出補正データを当該交換レンズが装着された上記カメラボディに送信するための送信手段とを備えた交換レンズを提案する。
【手続補正５】
【補正対象書類名】明細書
【補正対象項目名】００１９
【補正方法】変更
【補正の内容】
【００１９】
また、第２の発明によれば、イメージサイズの異なる少なくとも２種類のカメラボディに装着可能な交換レンズであって、上記カメラボディの種類によって異なる露出補正データを別個に記憶する記憶手段と、当該交換レンズが装着された上記カメラボディから、このカメラボディの種類に関連したデータを受信するための受信手段と、上記受信したデータに応じて、上記記憶手段に記憶された上記露出補正データの中から、当該交換レンズが装着されたカメラボディの種類に対応した露出補正データを選択するための選択手段と、上記選択された露出補正データを当該交換レンズが装着された上記カメラボディに送信するための送信手段と、を備えた交換レンズを提案する。
さらに、第３の発明によれば、イメージサイズの異なる少なくとも２種類のカメラボディに装着可能な交換レンズであって、上記カメラボディの種類によって異なる露出補正データを別個に記憶する記憶手段と、当該交換レンズが装着された上記カメラボディから、このカメラボディの種類に関連したデータと露出制御パラメータを受信するための受信手段と、上記受信手段により受信された上記カメラボディの種類に関連したデータと上記露出制御パラメータとに応じて、上記記憶手段に記憶された上記露出補正データの中から、当該交換レンズが装着されたカメラボディの種類と上記露出制御パラメータとに対応した露出補正データを選択するための選択手段と、上記選択された露出補正データを当該交換レンズが装着された上記カメラボディに送信するための送信手段と、を備えた交換レンズを提案する。
なお、第３の発明に記載の交換レンズにおいて、上記露出制御パラメータは、例えば絞りの設定値である。
さらに、第４の発明によれば、イメージサイズの異なる少なくとも２種類のカメラボディに装着可能な交換レンズであって、上記カメラボディの種類によって異なる露出補正データを別個に記憶する記憶手段と、当該交換レンズが装着された上記カメラボディから、このカメラボディの種類に関連したデータを受信するための受信手段と、露出に関する状態を変更するためのマニュアル操作部材と、上記受信手段により受信された上記カメラボディの種類に関連したデータと、上記マニュアル操作部材から出力されるマニュアル操作情報とから上記記憶手段に記憶された上記露出補正データの中から、当該交換レンズが装着されたカメラボディの種類と上記マニュアル操作情報とに対応した露出補正データを選択するための選択手段と、上記選択された露出補正データを当該交換レンズが装着された上記カメラボディに送信するための送信手段と、を備えた交換レンズを提案する。
なお、第４の発明に記載の交換レンズにおいて、上記マニュアル操作部材は、例えば当該交換レンズの焦点距離を可変する操作部材であり、上記マニュアル操作情報は焦点距離に関する情報である。
また、第１乃至第４の発明のうち何れか一つに記載の交換レンズにおいて、上記露出補正データは、上記カメラボディで測定した測光出力の補正を行うための測光補正データとしても良い。
あるいは、第１乃至第４の発明のうち何れか一つに記載の交換レンズにおいて、上記露出補正データは、上記カメラボディで露出演算で求めた露出アペックス値に対して補正を行うための露出量補正データとしても良い。
【手続補正６】
【補正対象書類名】明細書
【補正対象項目名】００９９
【補正方法】変更
【補正の内容】
【００９９】
【発明の効果】
本発明によれば、同一な交換レンズをイメージサイズの異なるカメラボディの何れに装着した場合でも適正な撮影制御を行なうと共に、カメラシステムの充実を容易にするような交換レンズを提供することができる。